(57)【特許請求の範囲】
【請求項１】
筒状の軸部と、軸部の両端に付設した円形状のフランジ部とを有して成るミシン用ボビンにおける糸解れ防止用の保持具であって、当該保持具は、ミシン用ボビンのフランジ部に装着可能となるよう、フランジ部の側面に当接する底板部と、該底板部の外周に沿って設けた起立縁部を有し、底板部と起立縁部の接合部分における内周に、フランジ部の外周縁を挿入して保持する嵌合溝部を形成し、軸部に巻かれている糸の繰出し端部を、フランジ部の外周縁と保持具の嵌合溝部により挟み込んで保持するようにしてなり、前記底板部は、中央部分に細長Ｕ字状の切り欠き部を有し、この切り欠き部を介して、大きな円弧状に突出した一端側膨出面部と、小さな円弧状に突出した他端側膨出面部を連設し、一端側膨出面部と他端側膨出面部を拡開可能にして、一端側膨出面部と他端側膨出面部の上に設けている起立縁部と嵌合溝部の解放側端部をミシン用ボビンのフランジ部に宛がい、押し付けることで、両解放側端部を開き、嵌合溝部にフランジ部を挿入して装着することを特徴とするミシン用ボビンにおける糸解れ防止用の保持具。
【発明の詳細な説明】
【技術分野】
【０００１】
本発明は、ミシンによる縫合において下糸を繰り出すために使用される、ミシン用ボビンにおける糸解れ防止用の保持具に関するものである。
【背景技術】
【０００２】
従来において、ミシンを使用する際は、下糸が巻着されているボビンをボビンケースに入れ、このボビンケースをミシンの縫着部下側に装着して縫合作業を行っていた。
【０００３】
そして、ミシンを使用しないときや、下糸の種類を変えるときには、ミシンの縫着部下側からボビンケースを取り出し、このボビンケースからボビンを抜き取ってから、所定のケース内にボビンを収納して保管するのが一般的であった。
【特許文献１】特になし
【発明の開示】
【発明が解決しようとする課題】
【０００４】
しかしながら、従来のように、ボビンをそのままの状態で所定のケースに収納して保管したり、或るいは、ケースからボビンを取り出してボビンケースに取り付けたりする等の際には、ボビンからの糸の繰り出し端部がフリーな状態になっているため、ボビンに巻着されている糸が簡単に解れてしまい、糸が絡まる等して、ボビンの取り扱いが非常に面倒なものとなっていた。
【０００５】
そこで、本発明は如上のような従来存した諸事情に鑑み創出されたもので、ボビンに巻着されている糸の解れを未然に防止することで、ボビンの取り扱いを極めて容易にする、ミシン用ボビンにおける糸解れ防止用の保持具を提供することを目的とする。
【課題を解決するための手段】
【０００６】
本発明は、筒状の軸部と、軸部の両端に付設した円形状のフランジ部とを有して成るミシン用ボビンにおける糸解れ防止用の保持具であって、当該保持具は、ミシン用ボビンのフランジ部に装着可能となるよう、フランジ部の側面に当接する底板部と、該底板部の外周に沿って設けた起立縁部を有し、底板部と起立縁部の接合部分における内周に、フランジ部の外周縁を挿入して保持する嵌合溝部を形成し、軸部に巻かれている糸の繰出し端部を、フランジ部の外周縁と保持具の嵌合溝部により挟み込んで保持するようにしてなり、前記底板部は、中央部分に細長Ｕ字状の切り欠き部を有し、この切り欠き部を介して、大きな円弧状に突出した一端側膨出面部と、小さな円弧状に突出した他端側膨出面部を連設し、一端側膨出面部と他端側膨出面部を拡開可能にして、一端側膨出面部と他端側膨出面部の上に設けている起立縁部と嵌合溝部の解放側端部をミシン用ボビンのフランジ部に宛がい、押し付けることで、両解放側端部を開き、嵌合溝部にフランジ部を挿入して装着することで、上述した課題を解決した。
【発明の効果】
【００１０】
本発明によれば、ボビンに巻着されている糸の解れを未然に防止でき、ミシンの使用時におけるボビンの取り扱いが極めて容易となる。
【００１１】
すなわち、ボビンを収納しているケースからボビンを取り出したり、ボビンケースへボビンを取り付ける等に際し、本発明に係る保持具を予めボビンに装着しておくことで、ボビンに巻着されている糸の解れを未然に防止することができる。
【００１２】
具体的構成として、この保持具は、ミシン用ボビンのフランジ部に装着可能となるよう、フランジ部の側面に当接する底板部と、該底板部の外周に沿って設けた起立縁部を有し、底板部と起立縁部の接合部分における内周に、フランジ部の外周縁を挿入して保持する嵌合溝部を形成していることから、この嵌合溝部を介して、ミシン用ボビンのフランジ部に対する保持具の着脱が極めて容易である。
【００１３】
そして、軸部に巻かれている糸の繰出し端部を、フランジ部の外周縁と保持具の嵌合溝部により挟み込んで保持することから、ボビンに巻着されている糸の解れを未然に防止して、ミシンの使用時におけるボビンの取り扱いを極めて容易なものとする。
【００１４】
しかも、底板部は、中央部分に細長Ｕ字状の切り欠き部を有し、この切り欠き部を介して、大きな円弧状に突出した一端側膨出面部と、小さな円弧状に突出した他端側膨出面部を連設していることから、底板部と起立縁部の接合部分における内周に設けている嵌合溝部を介して、ミシン用ボビンのフランジ部の外周縁に保持具を装着した際には、底板部がフランジ部の側面に当接した状態で保持される。
【００１５】
その為、ミシン用ボビンのフランジ部に、保持具をしっかりと装着できる。
【００１６】
さらに、底板部を構成する一端側膨出面部と他端側膨出面部は、拡開可能に形成されていることから、一端側膨出面部と他端側膨出面部の上に設けている起立縁部と嵌合溝部の解放側端部をミシン用ボビンのフランジ部に宛がい、押し付けることで、両解放側端部が若干開き、嵌合溝部にフランジ部が挿入される。
【００１７】
そして、フランジ部の最大直径部分が通過した後に、両解放側端部が元の位置に戻り、ミシン用ボビンのフランジ部への保持具の装着状態が維持されるのである。
【発明を実施するための最良の形態】
【００２０】
以下に、本発明を実施するための最良の形態を、図面を参照して説明する。
【００２１】
本発明は、図１（ａ）（ｂ）（ｃ）に示すように、ミシンによる縫合において、糸を繰り出すためのミシン用ボビンＰに装着して使用される、ミシン用ボビンＰにおける糸解れ防止用の保持具１である。
【００２２】
このミシン用ボビンＰは、図１（ａ）に示すように、筒状の軸部１１と、軸部１１の両端に付設した円形状のフランジ部１２とを有している。そして、下糸が巻着されているミシン用ボビンＰを、不図示のボビンケースに入れてから、ミシンの縫着部下側に装着して縫合作業を行うものである。
【００２３】
また、ミシンを使用しないときや、下糸の種類を変えるときには、ミシンの縫着部下側からボビンケースを取り出し、このボビンケースからミシン用ボビンＰを抜き取ってから、不図示の収納ケース内に、ミシン用ボビンＰを保管しておくものである。
【００２４】
保持具１は、帯電防止措置を施し且つ低摩擦係数を有する、例えば、合成樹脂製材等を用いて形成されている。
【００２５】
具体的には、保持具１は、図１（ａ）、図２（ａ）（ｃ）に示すように、ミシン用ボビンＰのフランジ部１２に装着可能となるよう、フランジ部１２の側面に当接する底板部２と、該底板部２の外周に沿って設けた起立縁部３を有している。
【００２６】
保持具１の底板部２は、図２（ａ）（ｂ）に示すように、略５分の１程度の端部を切除した円形板において、細長Ｕ字状の切り欠き部５を有している。そして、この切り欠き部５を介して、大きな円弧状に突出した一端側膨出面部２ａと、小さな円弧状に突出した他端側膨出面部２ｂを連設している。
【００２７】
この底板部２は、切り欠き部５を介して連設した一端側膨出面部２ａと他端側膨出面部２ｂにより、全体として、略ネックピロー形状に形成されているのである。
【００２８】
また、図１（ａ）、図２（ｃ）に示すように、底板部２の外周に沿って設けた起立縁部３を有し、底板部２と起立縁部３の接合部分における内周に、フランジ部１２の外周縁を挿入して保持する嵌合溝部４を形成している。この嵌合溝部４は、断面が略コ字形の凹状に形成されている。
【００２９】
そして、底板部２と起立縁部３の接合部分における内周に設けている嵌合溝部４を介して、ミシン用ボビンＰのフランジ部１２の外周縁に保持具１を装着した際には、底板部２がフランジ部１２の側面に当接した状態で保持される。
【００３０】
さらに、底板部２を構成する一端側膨出面部２ａと他端側膨出面部２ｂは、拡開可能に形成されている。
【００３１】
その為、図１（ａ）に示すように、一端側膨出面部２ａと他端側膨出面部２ｂの上に設けている起立縁部３と嵌合溝部４の解放側端部をミシン用ボビンＰのフランジ部１２に宛がい、押し付けることで、両解放側端部が若干開き、嵌合溝部４にフランジ部１２が挿入される。
【００３２】
そして、フランジ部１２の最大直径部分が通過した後に、両解放側端部が元の位置に戻り、図１（ｂ）に示すように、ミシン用ボビンＰのフランジ部１２への保持具１の装着状態が維持されるのである。
【００３３】
また、図１（ａ）に示すように、下糸の繰出し端部Ｑを、保持具１のフランジ部１２の外周縁に当接するように引き出し、この状態で繰出し端部Ｑの上から、フランジ部１２に保持具１を装着する。
【００３４】
すると、図１（ｂ）（ｃ）に示すように、軸部１１に巻かれている糸の繰出し端部Ｑを、フランジ部１２の外周縁と保持具１の嵌合溝部４により挟み込んで保持することから、ミシン用ボビンＰに巻着されている糸の解れを未然に防止することができる。
【００３５】
さらに、保持具１の底板部２や起立縁部３には、糸の太さ番号や糸の色番等の識別番号を記載でき、ミシン用ボビンＰに巻かれている糸の種類を、容易に判別することができるようにしている。
【００３６】
この他、ミシン用ボビンＰに巻着されている糸の解れを未然に防止する手段として、図３（ａ）に示すように、例えば、底板部２における他端側膨出面部２ｂが存在する側の起立縁部３の開放側端部に、突出部分６を設けても良い。
【００３７】
この場合、図３（ａ）に示すように、下糸の繰出し端部Ｑを、フランジ部１２の内側面に当接するように引き出し、この状態で繰出し端部Ｑの上から、フランジ部１２の外周縁に保持具１を装着する。
【００３８】
そして、下糸の繰出し端部Ｑを手に持って、フランジ部１２の内側面と突出部分６の間に移動させる。すると、図３（ｂ）に示すように、軸部１１に巻かれている糸の繰出し端部Ｑが、フランジ部１２の内側面と突出部分６により挟み込まれて、保持される。
【００３９】
尚、突出部分６そのものに、水平方向の切れ目部分を設け、この切れ目部分に糸の繰出し端部Ｑを挟み込んでも良い。また、保持具１の起立縁部３の何れかの位置に切れ目部分を設け、この切れ目部分に糸の繰出し端部Ｑを挟み込んでも良い。
【００４０】
次に、以上のように構成された本発明の最良の形態について、使用・組立・動作の一例を説明する。
【００４１】
まず、ミシンを使用しないときには、ミシンの縫着部下側からボビンケースを取り出し、このボビンケースからミシン用ボビンＰを抜き取る。
【００４２】
その後、図１（ａ）（ｂ）に示すように、下糸の繰出し端部Ｑを、保持具１のフランジ部１２の外周縁に当接するように引き出し、この状態で繰出し端部Ｑの上から、フランジ部１２に保持具１を装着する。
【００４３】
また、図３（ａ）（ｂ）に示すように、下糸の繰出し端部Ｑを、フランジ部１２の内側面に当接するように引き出し、この状態で繰出し端部Ｑの上から、フランジ部１２の外周縁に保持具１を装着し、糸の繰出し端部Ｑを、フランジ部１２の内側面と突出部分６により挟み込ませる。
【００４４】
このようにして、下糸が巻着されているミシン用ボビンＰを、不図示のボビンケースから抜き取った後においても、ミシン用ボビンＰの軸部１１に巻着されている糸が解れずに、しっかりとミシン用ボビンＰに保持されている状態となる。
【００４５】
この状態において、不図示のケース内にミシン用ボビンＰを収納しておく。このとき、糸の太さ番号や糸の色番等の識別番号を記載した保持具１により、ミシン用ボビンＰに巻かれている糸の種類が容易に区別される。
【産業上の利用可能性】
【００４６】
本発明は、ボビンに巻着されている糸の解れを未然に防止することで、ボビンの取り扱いを極めて容易にする、ミシン用ボビンにおける糸解れ防止用の保持具として、種々のミシン用ボビンに幅広く利用されるものである。
【図面の簡単な説明】
【００４７】
【図１】ミシン用ボビンにおける糸解れ防止用の保持具の使用状態を示すもので、（ａ）はミシン用ボビンのフランジ部の外周縁に保持具を装着する状態を示す分解斜視図、（ｂ）はフランジ部の外周縁に保持具を装着した状態を示す斜視図、（ｃ）はフランジ部の外周縁に保持具を装着した状態の背面側の斜視図である。
【図２】ミシン用ボビンにおける糸解れ防止用の保持具の構成を示すもので、（ａ）は平面図、（ｂ）は底面図、（ｃ）は開放側から見た側面図である。
【図３】ミシン用ボビンにおける糸解れ防止用の保持具の他の使用状態を示すもので、（ａ）は底板部における他端側膨出面部が存在する側の起立縁部の開放側端部に突出部分を設けている保持具をミシン用ボビンのフランジ部に装着する状態を示す分解斜視図、（ｂ）はミシン用ボビンのフランジ部に保持具を装着し、糸の繰出し端部をフランジ部の内側面と突出部分により挟み込ませている状態を示す斜視図である。
【符号の説明】
【００４８】
Ｐ…ミシン用ボビン
Ｑ…繰出し端部
１…保持具
２…底板部
２ａ…一端側膨出面部
２ｂ…他端側膨出面部
３…起立縁部
４…嵌合溝部
５…切り欠き部
６…突出部分
１１…軸部
１２…フランジ部
【図１】
0004958297.tif 000002
【図２】
0004958297.tif 000003
【図３】
0004958297.tif 000004